Podtech/llm-jp-corpus-v4-ja_patent huggingface dataset:
(57)【要約】  本発明は、小型サイズで持ち運びやすく、感知−駆動装置が水と接触して駆動する際に救命浮き輪が膨張することができる程度の抵抗力を有する、救命浮き輪用携帯カバーに関するものである。
2020508251.tif 000002
【特許請求の範囲】
【請求項１】
カバー（１）と、
前記カバー（１）に取り付けられた面ファスナー材（２）のベルトと、
フック装置（３）と、
を有し、
前記カバー（１）の内側に、救命浮き輪（４）および感知−駆動装置（５）が収容されることを特徴とする、救命浮き輪用携帯カバー。
【請求項２】
前記感知−駆動装置（５）は前記救命浮き輪（４）の内側に丸められ、前記感知−駆動装置（５）と前記救命浮き輪（４）の集合体が、前記カバー（１）の内部に挿入されることを特徴とする、請求項１に記載の救命浮き輪用携帯カバー。
【請求項３】
前記面ファスナー材（２）のベルトは、前記カバー（１）に縦方向に配置され、前記カバー（１）の開閉を可能にするとともに、前記カバー（１）を持ち運ぶ際には閉塞した状態を保つために必要な抵抗力と長さとを有しながらも、前記感知−駆動装置が水と接触して駆動する際に救命浮き輪の展開を妨げないものであることを特徴とする、請求項１に記載の救命浮き輪用携帯カバー。
【請求項４】
前記カバーは、使用者が中身とともに持ち運ぶためのフック装置（３）を有することを特徴とする、請求項１に記載の救命浮き輪用携帯カバー。
【発明の詳細な説明】
【技術分野】
【０００１】
本発明は、救命浮き輪用携帯カバーに関する。
【０００２】
本出願の技術分野は、救助や護身に関するものであり、特に海上における救助に重点を置くものである。
【背景技術】
【０００３】
これまで、救命浮き輪は、梱包体の中に収容されたり、部屋、主として海上船舶の特定の区画に位置する部屋に装備されたりしてきた。救命浮き輪は、航海以外の状況下での使用が意図されていない。これは、溺死する危険を伴うあらゆる水に関係する活動において、護身のための日用品としては販売されていなことを意味する。
【発明の概要】
【０００４】
したがって、本発明は、従来の方法における救命浮き輪の用途のみならず、陸上での行楽でも海岸でも、またいずれの水に関係する活動においても、持ち運びができて個人使用が可能な救命浮き輪用携帯カバーを提供する。
【０００５】
これらの趣旨により、本発明の新規性は、現在の技術水準において既知のものを超えた、明白で実質的な改善点を提示することにある。
【発明の効果】
【０００６】
本発明は、ズボンの胴回りやその他の場所に固定するための小さなフック装置を使用したり、単に荷物の中に入れたりすることにより、救命浮き輪を携帯可能にすることを意図している。
【０００７】
これを実現するために、本発明は、縦方向に開口するカバーを有するとともに、カバーの端には面ファスナー式の素材が取り付けられる。この素材は、持ち運ぶ際には集合体をもとの状態に保てるように、開口に対する抵抗力を形成する一方、感知−駆動装置が水と接触して駆動する際に救命浮き輪の膨張を妨げない。この感知−駆動装置は、救命浮き輪に搭載され、外被の内側に丸められる。該感知−駆動装置は、該カバーの内側に挿入される際には、常に露出しているため、使用時に水との接触が妨げられるものではない。
【図面の簡単な説明】
【０００８】
【図１】図１のうち上側の図は、展開した救命浮き輪（４）と、空気注入のための感知−駆動装置（５）とを示す。図１のうち下側の図は、開位置におけるカバー（１）の内部における救命浮き輪（４）と感知−駆動装置（５）とを示し、さらに、面ファスナー式の閉塞手段（２）とフック装置（３）とを示す。
【図２】図２は、閉位置におけるカバー（１）を示し、空気注入のための感知−駆動装置（５）の下方部分と、フック装置（３）の上端部分を示す。
【発明を実施するための形態】
【０００９】
図１に示すとおり、本発明は、縦方向に開口するカバー（１）と、カバー（１）の縦方向端部に取り付けられる面ファスナー（２）と、カバー（１）の一端に配置されるフック装置（３）とを有する。
【００１０】
救命浮き輪（４）とそれに対応する空気注入のための感知−駆動装置（５）とが、該感知−駆動装置の端部が常に露出されるように、外被内部に丸められて収容されており、図２に示すように、小型で簡単に持ち運ぶことができる集合体を形成する。
【００１１】
本発明の本質の範囲内で、詳細の変型例や、それに均等なものが含まれる。該カバーの構造、該閉塞手段の種類、および該フック装置の種類は多様であり、該カバーは該救命浮き輪に取り付けることができる。
【図１】
2020508251.tif 000003
【図２】
2020508251.tif 000004
【国際調査報告】
2020508251.tif 000005
2020508251.tif 000006
2020508251.tif 000007
2020508251.tif 000008
2020508251.tif 000009
2020508251.tif 000010